(57)【要約】【課題】電源ヒューズが溶断しない程度のアクセスゲートウェイ装置の電源異常を早期に検出する。【解決手段】サーバー１１の電源異常検出部１２は、アクセスゲートウェイ装置１の定常電流と、１加入者の電話機をオフフックした時の直流供給電流と、直流電源９の電源電圧とを予め知っているので、サーバー１１がネットワーク１０を介して受信した呼量監視部３からのオフフック数（呼量）ｎを用いて、正常時のアクセスゲートウェイ装置１の電力量Ｐｃを算出する。また、電源異常検出部１２は、サーバー１１がネットワーク１０を介して受信した電力量計８からの電力量Ｐｍと、算出した電力量Ｐｃとの比較判定を行って、アクセスゲートウェイ装置１に電源ヒューズが溶断しない程度の電源異常が発生したか否かを検出する。【選択図】図１
2010074459.tif 000002
【特許請求の範囲】
【請求項１】
加入者線を介して複数の電話機に接続されており、その複数の電話機のうちオフフックされた電話機の数に相当する呼量に応じて消費電力が変化するアクセスゲートウェイ装置で消費している第１の電力量を測定する電力量測定ステップと、
前記呼量を用いて、前記呼量に応じた理論的な第２の電力量を算出する電力量算出ステップと、
前記第１の電力量と前記第２の電力量とを比較して、前記アクセスゲートウェイ装置の電源に異常電流が流れる電源異常の有無を判定する判定ステップと
を含むことを特徴とするアクセスゲートウェイ装置の電源異常検出方法。
【請求項２】
加入者線を介して複数の電話機に接続されており、その複数の電話機のうちオフフックされた電話機の数に相当する呼量に応じて消費電力が変化するアクセスゲートウェイ装置で消費している第１の電力量を測定する電力量測定ステップと、
前記呼量と、前記アクセスゲートウェイ装置に流れる定常電流と、前記電話機をオフフックした時に前記アクセスゲートウェイ装置に流れる直流供給電流と、前記アクセスゲートウェイ装置の電源電圧とを用いて、前記呼量に応じた理論的な第２の電力量を算出する電力量算出ステップと、
前記第１の電力量と前記第２の電力量にマージンを加算した値とを比較し、前記第１の電力量が前記第２の電力量に前記マージンを加算した値より大なる値のとき、前記アクセスゲートウェイ装置の電源に異常電流が流れる電源異常であると判定する異常判定ステップと
を含むことを特徴とするアクセスゲートウェイ装置の電源異常検出方法。
【請求項３】
加入者線を介して複数の電話機に接続されており、その複数の電話機のうちオフフックされた電話機の数に相当する呼量に応じて消費電力が変化するアクセスゲートウェイ装置で消費している第１の電力量を測定する電力量測定ステップと、
前記呼量と、前記アクセスゲートウェイ装置に流れる定常電流と、前記電話機をオフフックした時に前記アクセスゲートウェイ装置に流れる直流供給電流と、前記アクセスゲートウェイ装置の電源電圧とを用いて、前記呼量に応じた理論的な第２の電力量を算出する電力量算出ステップと、
前記第１の電力量と前記第２の電力量からマージンを減算した値とを比較し、前記第１の電力量が前記第２の電力量から前記マージンを減算した値より小なる値のとき、前記アクセスゲートウェイ装置の電源に異常電流が流れる電源異常であると判定する異常判定ステップと
を含むことを特徴とするアクセスゲートウェイ装置の電源異常検出方法。
【請求項４】
前記異常判定ステップは、前記第１の電力量と前記第２の電力量にマージンを加算又は減算した値とを比較し、前記第１の電力量が前記第２の電力量に前記マージンを加算した値以下の値で、かつ、前記第１の電力量が前記第２の電力量から前記マージンを減算した値以上の値のとき、前記アクセスゲートウェイ装置の電源に異常電流が流れない正常状態と判定することを特徴とする請求項２又は３記載のアクセスゲートウェイ装置の電源異常検出方法。
【請求項５】
前記電力量算出ステップは、
前記第２の電力量をＰｃ、前記呼量をｎとしたとき、前記アクセスゲートウェイ装置の電源電圧と、前記複数の電話機の平均保留時間と、前記直流供給電流とに基づいて、次式
Ｐｃ＝（（定常電流）＋（直流供給電流）×ｎ）×電源電圧×平均保留時間
により前記第２の電力量Ｐｃを算出するステップであり、
前記電力量測定ステップは、前記第２の電力量Ｐｃの計算式中の前記平均保留時間と同じ時間前記第１の電力量を測定することを特徴とする請求項１乃至４のうちいずれか一項記載のアクセスゲートウェイ装置の電源異常検出方法。
【請求項６】
加入者線を介して複数の電話機に接続されており、その複数の電話機のうちオフフックされた電話機の数に相当する呼量に応じて消費電力が変化するアクセスゲートウェイ装置と、
前記アクセスゲートウェイ装置内に設けられており、前記複数の電話機のうち同時にオフフックしている電話機の数に相当する呼量を計数し、その計数した呼量を呼量データとして送信する呼量監視部と、
前記アクセスゲートウェイ装置で実際に消費している第１の電力量を測定する電力量計と、
前記呼量監視部から送信された前記呼量データを、ネットワークを経由して受信すると共に、前記電力量計から送信された前記第１の電力量の測定データを、前記ネットワークを経由して受信し、受信した前記呼量データが示す前記呼量を用いて、前記呼量に応じた理論的な第２の電力量を算出し、その第２の電力量を受信した前記測定データが示す前記第１の電力量と比較して、前記アクセスゲートウェイ装置の電源に異常電流が流れる電源異常を検出する電源異常検出部を備えたサーバーと
よりなることを特徴とする通信ネットワークシステム。
【請求項７】
加入者線を介して複数の電話機に接続されており、その複数の電話機のうちオフフックされた電話機の数に相当する呼量に応じて消費電力が変化するアクセスゲートウェイ装置と、
前記アクセスゲートウェイ装置内に設けられており、前記複数の電話機のうち同時にオフフックしている電話機の数に相当する呼量を計数し、その計数した呼量を呼量データとして送信する呼量監視部と、
前記アクセスゲートウェイ装置で実際に消費している第１の電力量を測定する電力量計と、
前記呼量監視部から送信された前記呼量データを、ネットワークを経由して受信すると共に、前記電力量計から送信された前記第１の電力量の測定データを、前記ネットワークを経由して受信し、受信した前記呼量データと前記測定データとに基づいて、前記アクセスゲートウェイ装置の電源に異常電流が流れる電源異常を検出する電源異常検出部を備えたサーバーと、
よりなり、前記電源異常検出部は、受信した前記呼量データが示す前記呼量と、前記アクセスゲートウェイ装置に流れる定常電流と、前記電話機をオフフックした時に前記アクセスゲートウェイ装置に流れる直流供給電流と、前記アクセスゲートウェイ装置の電源電圧とを用いて、前記呼量に応じた理論的な第２の電力量を算出する電力量算出手段と、
前記第１の電力量と前記第２の電力量にマージンを加算した値とを比較し、前記第１の電力量が前記第２の電力量に前記マージンを加算した値より大なる値のとき、前記電源異常であると判定する異常判定手段とを有することを特徴とする通信ネットワークシステム。
【請求項８】
加入者線を介して複数の電話機に接続されており、その複数の電話機のうちオフフックされた電話機の数に相当する呼量に応じて消費電力が変化するアクセスゲートウェイ装置と、
前記アクセスゲートウェイ装置内に設けられており、前記複数の電話機のうち同時にオフフックしている電話機の数に相当する呼量を計数し、その計数した呼量を呼量データとして送信する呼量監視部と、
前記アクセスゲートウェイ装置で実際に消費している第１の電力量を測定する電力量計と、
前記呼量監視部から送信された前記呼量データを、ネットワークを経由して受信すると共に、前記電力量計から送信された前記第１の電力量の測定データを、前記ネットワークを経由して受信し、受信した前記呼量データと前記測定データとに基づいて、前記アクセスゲートウェイ装置の電源に異常電流が流れる電源異常を検出する電源異常検出部を備えたサーバーと、
よりなり、前記電源異常検出部は、受信した前記呼量データが示す前記呼量と、前記アクセスゲートウェイ装置に流れる定常電流と、前記電話機をオフフックした時に前記アクセスゲートウェイ装置に流れる直流供給電流と、前記アクセスゲートウェイ装置の電源電圧とを用いて、前記呼量に応じた理論的な第２の電力量を算出する電力量算出手段と、
前記第１の電力量と前記第２の電力量からマージンを減算した値とを比較し、前記第１の電力量が前記第２の電力量から前記マージンを減算した値より小なる値のとき、前記電源異常であると判定する異常判定手段とを有することを特徴とする通信ネットワークシステム。
【請求項９】
前記異常判定手段は、前記第１の電力量と前記第２の電力量にマージンを加算又は減算した値とを比較し、前記第１の電力量が前記第２の電力量に前記マージンを加算した値以下の値で、かつ、前記第１の電力量が前記第２の電力量から前記マージンを減算した値以上の値のとき、前記電源異常でない正常状態と判定することを特徴とする請求項７又は８記載の通信ネットワークシステム。
【請求項１０】
前記電源異常検出部は、
前記第２の電力量をＰｃ、前記呼量をｎとしたとき、前記アクセスゲートウェイ装置の電源電圧と、前記複数の電話機の平均保留時間と、前記直流供給電流とに基づいて、次式
Ｐｃ＝（（定常電流）＋（直流供給電流）×ｎ）×電源電圧×平均保留時間
により前記第２の電力量Ｐｃを算出し、
前記電力量計は、前記第２の電力量Ｐｃの計算式中の前記平均保留時間と同じ時間測定して前記第１の電力量を出力することを特徴とする請求項６乃至９のうちいずれか一項記載の通信ネットワークシステム。
【請求項１１】
加入者線を介して接続された複数の電話機のうちオフフックされた電話機の数に相当する呼量に応じて消費電力が変化するアクセスゲートウェイ装置と、前記アクセスゲートウェイ装置で実際に消費している第１の電力量を測定する電力量計とに、それぞれネットワークを介して接続されたサーバー内のコンピュータに、
前記アクセスゲートウェイ装置から送信された、前記複数の電話機のうち同時にオフフックしている電話機の数に相当する呼量を示す呼量データと、前記電力量計から送信された前記第１の電力量の測定データとをそれぞれ受信して取得する取得ステップと、
受信して取得した前記呼量データが示す前記呼量を用いて、前記呼量に応じた理論的な第２の電力量を算出する電力量算出ステップと、
受信して取得した前記第１の電力量と、算出した前記第２の電力量とを比較して、前記アクセスゲートウェイ装置の電源に異常電流が流れる電源異常の有無を判定する判定ステップと
を実行させることを特徴とする電源異常検出用プログラム。
【請求項１２】
加入者線を介して接続された複数の電話機のうちオフフックされた電話機の数に相当する呼量に応じて消費電力が変化するアクセスゲートウェイ装置と、前記アクセスゲートウェイ装置で実際に消費している第１の電力量を測定する電力量計とに、それぞれネットワークを介して接続されたサーバー内のコンピュータに、
前記アクセスゲートウェイ装置から送信された、前記複数の電話機のうち同時にオフフックしている電話機の数に相当する呼量を示す呼量データと、前記電力量計から送信された前記第１の電力量の測定データとをそれぞれ受信して取得する取得ステップと、
受信して取得した前記呼量データが示す前記呼量と、前記アクセスゲートウェイ装置に流れる定常電流と、前記電話機をオフフックした時に前記アクセスゲートウェイ装置に流れる直流供給電流と、前記アクセスゲートウェイ装置の電源電圧とを用いて、前記呼量に応じた理論的な第２の電力量を算出する電力量算出ステップと、
受信して取得した前記第１の電力量と前記第２の電力量にマージンを加算した値とを比較し、前記第１の電力量が前記第２の電力量に前記マージンを加算した値より大なる値のとき、前記アクセスゲートウェイ装置の電源に異常電流が流れる電源異常であると判定する異常判定ステップと
を実行させることを特徴とする電源異常検出用プログラム。
【請求項１３】
加入者線を介して接続された複数の電話機のうちオフフックされた電話機の数に相当する呼量に応じて消費電力が変化するアクセスゲートウェイ装置と、前記アクセスゲートウェイ装置で実際に消費している第１の電力量を測定する電力量計とに、それぞれネットワークを介して接続されたサーバー内のコンピュータに、
前記アクセスゲートウェイ装置から送信された、前記複数の電話機のうち同時にオフフックしている電話機の数に相当する呼量を示す呼量データと、前記電力量計から送信された前記第１の電力量の測定データとをそれぞれ受信して取得する取得ステップと、
受信して取得した前記呼量データが示す前記呼量と、前記アクセスゲートウェイ装置に流れる定常電流と、前記電話機をオフフックした時に前記アクセスゲートウェイ装置に流れる直流供給電流と、前記アクセスゲートウェイ装置の電源電圧とを用いて、前記呼量に応じた理論的な第２の電力量を算出する電力量算出ステップと、
受信して取得した前記第１の電力量と前記第２の電力量からマージンを減算した値とを比較し、前記第１の電力量が前記第２の電力量から前記マージンを減算した値より小なる値のとき、前記アクセスゲートウェイ装置の電源に異常電流が流れる電源異常であると判定する異常判定ステップと
を実行させることを特徴とする電源異常検出用プログラム。
【請求項１４】
前記異常判定ステップは、前記第１の電力量と前記第２の電力量にマージンを加算又は減算した値とを比較し、前記第１の電力量が前記第２の電力量に前記マージンを加算した値以下の値で、かつ、前記第１の電力量が前記第２の電力量から前記マージンを減算した値以上の値のとき、前記アクセスゲートウェイ装置の電源に異常電流が流れない正常状態と判定することを特徴とする請求項１２又は１３記載の電源異常検出用プログラム。
【請求項１５】
前記電力量算出ステップは、
前記第２の電力量をＰｃ、前記呼量をｎとしたとき、前記アクセスゲートウェイ装置の電源電圧と、前記複数の電話機の平均保留時間と、前記直流供給電流とに基づいて、次式
Ｐｃ＝（（定常電流）＋（直流供給電流）×ｎ）×電源電圧×平均保留時間
により前記第２の電力量Ｐｃを算出するステップであり、
前記電力量測定ステップは、前記第２の電力量Ｐｃの計算式中の前記平均保留時間と同じ時間前記第１の電力量を測定することを特徴とする請求項１１乃至１４のうちいずれか一項記載の電源異常検出用プログラム。
【請求項１６】
加入者線を介して接続された複数の電話機のうちオフフックされた電話機の数に相当する呼量に応じて消費電力が変化するアクセスゲートウェイ装置から送信された、前記複数の電話機のうち同時にオフフックしている電話機の数に相当する呼量を示す呼量データを、ネットワークを介して受信する第１の受信手段と、
前記アクセスゲートウェイ装置で実際に消費している第１の電力量を測定する電力量計から送信された、前記第１の電力量の測定データを、前記ネットワークを介して受信する第２の受信手段と、
受信した前記呼量データが示す前記呼量を用いて、前記呼量に応じた理論的な第２の電力量を算出する電力量算出手段と、
受信した前記測定データが示す前記第１の電力量と、算出した前記第２の電力量とを比較して、前記アクセスゲートウェイ装置の電源に異常電流が流れる電源異常を検出する電源異常検出手段と
を有することを特徴とするサーバー。
【請求項１７】
加入者線を介して接続された複数の電話機のうちオフフックされた電話機の数に相当する呼量に応じて消費電力が変化するアクセスゲートウェイ装置から送信された、前記複数の電話機のうち同時にオフフックしている電話機の数に相当する呼量を示す呼量データを、ネットワークを介して受信する第１の受信手段と、
前記アクセスゲートウェイ装置で実際に消費している第１の電力量を測定する電力量計から送信された、前記第１の電力量の測定データを、前記ネットワークを介して受信する第２の受信手段と、
受信した前記呼量データが示す前記呼量と、前記アクセスゲートウェイ装置に流れる定常電流と、前記電話機をオフフックした時に前記アクセスゲートウェイ装置に流れる直流供給電流と、前記アクセスゲートウェイ装置の電源電圧とを用いて、前記呼量に応じた理論的な第２の電力量を算出する電力量算出手段と、
受信した前記測定データが示す前記第１の電力量と、算出した前記第２の電力量にマージンを加算した値とを比較し、前記第１の電力量が前記第２の電力量に前記マージンを加算した値より大なる値のとき、前記アクセスゲートウェイ装置の電源に異常電流が流れる電源異常であると判定する電源異常判定手段と
を有することを特徴とするサーバー。
【請求項１８】
加入者線を介して接続された複数の電話機のうちオフフックされた電話機の数に相当する呼量に応じて消費電力が変化するアクセスゲートウェイ装置から送信された、前記複数の電話機のうち同時にオフフックしている電話機の数に相当する呼量を示す呼量データを、ネットワークを介して受信する第１の受信手段と、
前記アクセスゲートウェイ装置で実際に消費している第１の電力量を測定する電力量計から送信された、前記第１の電力量の測定データを、前記ネットワークを介して受信する第２の受信手段と、
受信した前記呼量データが示す前記呼量と、前記アクセスゲートウェイ装置に流れる定常電流と、前記電話機をオフフックした時に前記アクセスゲートウェイ装置に流れる直流供給電流と、前記アクセスゲートウェイ装置の電源電圧とを用いて、前記呼量に応じた理論的な第２の電力量を算出する電力量算出手段と、
受信した前記測定データが示す前記第１の電力量と、算出した前記第２の電力量からマージンを減算した値とを比較し、前記第１の電力量が前記第２の電力量から前記マージンを減算した値より小なる値のとき、前記アクセスゲートウェイ装置の電源に異常電流が流れる電源異常であると判定する電源異常判定手段と
を有することを特徴とするサーバー。
【請求項１９】
前記電源異常判定手段は、受信した前記測定データが示す前記第１の電力量と、算出した前記第２の電力量にマージンを加算又は減算した値とを比較し、前記第１の電力量が前記第２の電力量に前記マージンを加算した値以下の値で、かつ、前記第１の電力量が前記第２の電力量から前記マージンを減算した値以上の値のとき、前記アクセスゲートウェイ装置の電源に異常電流が流れる電源異常でなく正常状態と判定することを特徴とする請求項１７又は１８記載のサーバー。
【請求項２０】
前記電力量算出手段は、
前記第２の電力量をＰｃ、前記呼量をｎとしたとき、前記アクセスゲートウェイ装置の電源電圧と、前記複数の電話機の平均保留時間と、前記直流供給電流とに基づいて、次式
Ｐｃ＝（（定常電流）＋（直流供給電流）×ｎ）×電源電圧×平均保留時間
により前記第２の電力量Ｐｃを算出し、
前記第２の受信手段は、前記第２の電力量Ｐｃの計算式中の前記平均保留時間と同じ時間前記電力計で測定して得られた前記第１の電力量の測定データを受信することを特徴とする請求項１６乃至１９のうちいずれか一項記載のサーバー。
【発明の詳細な説明】
【技術分野】
【０００１】
本発明はアクセスゲートウェイ装置の電源異常検出方法、通信ネットワークシステム、電源異常検出用プログラム及びサーバーに係り、特に呼量によって消費電力が変化するアクセスゲートウェイ装置の電源異常検出方法、通信ネットワークシステム、電源異常検出用プログラム及び電源異常を検出するためのサーバーに関する。
【背景技術】
【０００２】
近年、ＩＰ(Internet Protocol)網を通じて音声信号をパケットデータに変換して送受信する、所謂ＩＰ電話が普及している。このようなＩＰ電話を実現するため、アクセスゲートウェイ装置は、電話回線網とＩＰ網とを選択的に電話加入者に接続し、送信されるパケットの内容に応じてデータを転送する。
【０００３】
上記のアクセスゲートウェイ装置では、電話加入者を収容するため、加入者が電話機の受話器を上げる（オフフックする）と、アクセスゲートウェイ装置の電源から電話機に直流電流（直流供給電流）が流れる。しかし、加入者線への電力線混触や雷サージ印加により、アクセスゲートウェイ装置の故障が発生した場合等には電源に過大異常電流が流れる。そこで、このような過大異常電流が流れて、電源が垂下してアクセスゲートウェイ装置がシステムダウンすることを防ぐため、所定数の加入者以下毎に電源にはヒューズを挿入している。これは、電源に挿入されたヒューズが溶断したことを検出することで電源に過大異常電流が流れる電源異常を検出するためである。
【０００４】
一方、呼量演算部が、接続回線数観測部の出力回線数を入力とし、呼量を演算し、その呼量に応じて制御信号の送信電力量を更新する無線回線制御方法が知られている（例えば、特許文献１参照）。また、電圧低下が発生した場合は時間の測定を開始し、引き続き電圧の監視を行い、測定した時間と通常電圧とより現時点での使用電力量を求める電源障害安全装置が知られている（例えば、特許文献２参照）。従って、これら特許文献１及び２により、呼量を監視し、その呼量を用いて算出した電力量と現時点での使用電力量とを比較して、両者が異なる場合は異常と検出する方法も考えられる。
【０００５】
【特許文献１】特開平６−３５０５１３号公報（明細書第６段落、第７段落）
【特許文献２】特開平５−０７３４４０号公報（明細書第９段落）
【発明の開示】
【発明が解決しようとする課題】
【０００６】
しかしながら、電源に挿入したヒューズを用いる電源異常検出方法では、アクセスゲートウェイ装置内の回路が故障し、電源とグランドがショートし、電源にヒューズが溶断するような過大な電流が流れた時のみ電源異常の検出が可能であり、電源ヒューズが溶断しない程度の電源異常を早期に検出することができない。
【０００７】
また、特許文献１における測定する電力量は、必要電力量ではなく、呼量の目標値から現在通信されている呼量を差し引いた値に、予め定めた定数を乗算した値の制御信号の電力量である。上記の制御信号は、基地局から送信される信号であり、移動局が複数の基地局から受信した制御信号のうち最も高い受信レベルの制御信号を送信している基地局との間で無線回線を確立するための信号である。一方、特許文献２における現時点の使用電力量は、電圧、電流、時間を測定して電力量を測定する電力計により測定されたものではない。このため、特許文献１及び２各記載の技術を組み合わせたとしても、無線回線に関係の無いアクセスゲートウェイ装置内の電源ヒューズが溶断しない程度の電源異常を早期に検出することができない。
【０００８】
本発明は以上の点に鑑みなされたもので、電源ヒューズが溶断しない程度の電源異常を早期に検出できるアクセスゲートウェイ装置の電源異常検出方法、通信ネットワークシステム、電源異常検出用プログラム及びサーバーを提供することを目的とする。
【課題を解決するための手段】
【０００９】
上記の目的を達成するため、本発明のアクセスゲートウェイ装置の電源異常検出方法は、加入者線を介して複数の電話機に接続されており、その複数の電話機のうちオフフックされた電話機の数に相当する呼量に応じて消費電力が変化するアクセスゲートウェイ装置で消費している第１の電力量を測定する電力量測定ステップと、呼量を用いて、呼量に応じた理論的な第２の電力量を算出する電力量算出ステップと、第１の電力量と第２の電力量とを比較して、アクセスゲートウェイ装置の電源に異常電流が流れる電源異常の有無を判定する判定ステップとを含むことを特徴とする。
【００１０】
また、上記の目的を達成するため、本発明の通信ネットワークシステムは、加入者線を介して複数の電話機に接続されており、その複数の電話機のうちオフフックされた電話機の数に相当する呼量に応じて消費電力が変化するアクセスゲートウェイ装置と、アクセスゲートウェイ装置内に設けられており、複数の電話機のうち同時にオフフックしている電話機の数に相当する呼量を計数し、その計数した呼量を呼量データとして送信する呼量監視部と、アクセスゲートウェイ装置で実際に消費している第１の電力量を測定する電力量計と、呼量監視部から送信された呼量データを、ネットワークを経由して受信すると共に、電力量計から送信された第１の電力量の測定データを、ネットワークを経由して受信し、受信した呼量データが示す呼量を用いて、呼量に応じた理論的な第２の電力量を算出し、その第２の電力量を受信した測定データが示す第１の電力量と比較して、アクセスゲートウェイ装置の電源に異常電流が流れる電源異常を検出する電源異常検出部を備えたサーバーとよりなることを特徴とする。
【００１１】
また、上記の目的を達成するため、本発明の電源異常検出用プログラムは、加入者線を介して接続された複数の電話機のうちオフフックされた電話機の数に相当する呼量に応じて消費電力が変化するアクセスゲートウェイ装置と、アクセスゲートウェイ装置で実際に消費している第１の電力量を測定する電力量計とに、それぞれネットワークを介して接続されたサーバー内のコンピュータに、
アクセスゲートウェイ装置から送信された、複数の電話機のうち同時にオフフックしている電話機の数に相当する呼量を示す呼量データと、電力量計から送信された第１の電力量の測定データとをそれぞれ受信して取得する取得ステップと、受信して取得した呼量データが示す呼量を用いて、呼量に応じた理論的な第２の電力量を算出する電力量算出ステップと、受信して取得した第１の電力量と、算出した第２の電力量とを比較して、アクセスゲートウェイ装置の電源に異常電流が流れる電源異常の有無を判定する判定ステップとを実行させることを特徴とする。
【００１２】
更に、上記の目的を達成するため、本発明のサーバーは、加入者線を介して接続された複数の電話機のうちオフフックされた電話機の数に相当する呼量に応じて消費電力が変化するアクセスゲートウェイ装置から送信された、複数の電話機のうち同時にオフフックしている電話機の数に相当する呼量を示す呼量データを、ネットワークを介して受信する第１の受信手段と、アクセスゲートウェイ装置で実際に消費している第１の電力量を測定する電力量計から送信された、第１の電力量の測定データを、ネットワークを介して受信する第２の受信手段と、受信した呼量データが示す呼量を用いて、呼量に応じた理論的な第２の電力量を算出する電力量算出手段と、受信した測定データが示す第１の電力量と、算出した第２の電力量とを比較して、アクセスゲートウェイ装置の電源に異常電流が流れる電源異常を検出する電源異常検出手段とを有することを特徴とする。
【発明の効果】
【００１３】
本発明によれば、電力量計により測定したアクセスゲートウェイ装置の実際の電力量と、呼量に基づいて算出した理論値である電力量とを比較することにより、電源ヒューズが溶断しない装置故障でもアクセスゲートウェイ装置の電源異常を早期に検出できる。
【発明を実施するための最良の形態】
【００１４】
次に、本発明の最良の実施形態について図面を参照して詳細に説明する。
【００１５】
図１は、本発明になるアクセスゲートウェイ装置の電源異常検出方法、通信ネットワークシステム及びサーバーの一実施形態の構成図を示す。同図において、アクセスゲートウェイ装置１は、Ｎ個（Ｎは２以上の自然数）の給電回路２1〜２Nと、呼量監視部３と、Ｍ＋１個（Ｍは２以上の自然数）のヒューズ４1〜４M+1と、装置制御回路（図示せず）とを少なくとも有する。ヒューズ４1は、給電回路２1〜２2等例えば１２８個の給電回路に共通に接続されている。同様に、ヒューズ４Mは、給電回路２Nを含む例えば１２８個の給電回路に共通に接続されている。更に、ヒューズ４M+1は図示しない装置制御回路に接続されている。装置制御回路は、例えば、所定のプログラムにより動作するコンピュータにより構成されており、このアクセスゲートウェイ装置１の全体を統括的に制御する。
【００１６】
また、アクセスゲートウェイ装置１内の給電回路２1〜２Nは、加入者線５、６をそれぞれ介して電話機７1〜７Nに１対１に対応して接続される一方、ヒューズ４1〜４Mのうちいずれか一のヒューズを介して電力量計８に共通に接続されている。電力量計８は、直流電源９に接続されている。更に、アクセスゲートウェイ装置１内の呼量監視部３は、インターネット等のネットワーク１０を介してサーバー１１に接続されている。また、電力量計８もネットワーク１０を介してサーバー１１に接続されている。
【００１７】
呼量監視部３は、電話機７1〜７Nのうちオフフックされた電話機の数を計数し、得られた計数（呼量）データをネットワーク１０を介してサーバー１１に送出する。電力量計８は、電話加入者が接続されたアクセスゲートウェイ装置１の電力量を測定し、測定して得た電力量データを、ネットワーク１０を介してサーバー１１に送出する。
【００１８】
サーバー１１は、電源異常検出用プログラムに基づき動作するコンピュータにより電源異常検出動作を行う電源異常検出部１２を有している。サーバー１１は、アクセスゲートウェイ装置１やネットワーク１０を管理しているキャリア（通信事業者）により所有されており、全国にあるアクセスゲートウェイ装置の電力量の測定データ等を収集するために設けられている。電源異常検出部１２は、サーバー１１に収集された電力量データとオフフック数（呼量）データとを使用してアクセスゲートウェイ装置１の電源異常を検出する。
【００１９】
図１の全体の構成は、本発明の通信ネットワークシステムの一実施形態の構成を示している。図１に示したサーバー１１は、本発明のサーバーの一実施形態の構成を示している。更に、アクセスゲートウェイ装置１は、本発明のアクセスゲートウェイ装置の電源異常検出方法の一実施形態の動作を行う。
【００２０】
次に、本実施形態の動作について、図１の構成図と図２のフローチャートとを併せ参照して説明する。電話機７1〜７Nのうち例えば電話機７1がオフフックされたものとすると、電話機７1と給電回路２1と電力計８と直流電源９とにより直流ループが形成されるため、図１に矢印で示すように、アクセスゲートウェイ装置１の直流電源９から電話機７1に直流電流（直流供給電流）が流れる。
【００２１】
アクセスゲートウェイ装置１の直流電源９には、電源電流（定常電流）が定常的に流れており、電話機７1をオフフックすると、この定常電流に加えて更に上記の電源電流（直流供給電流）が流れる。電話機７1〜７Nのうち電話機７1以外の電話機をオフフックした場合も、上記と同様に定常電流と直流供給電流とが流れる。従って、電話機７1〜７Nをオフフックする数（呼量）によって、アクセスゲートウェイ装置１の電源電流は変化する。換言すると、アクセスゲートウェイ装置１は、呼量によって消費電力が変化する。なお、１加入者の電話機をオフフックした時に流れる直流供給電流は、同時にオフフックした電話機の数に関係なく一定である。
【００２２】
アクセスゲートウェイ装置１の直流電源９に接続された電力量計８は、電話機のオフフックの有無に関係なく電源電流に基づいて電力量（Ｐｍ）を常時測定している（ステップＳ１）。電力量計８は、電力量（Ｐｍ）の測定データを、ネットワーク１０を経由してサーバー１１に送信する（ステップＳ２）。
【００２３】
一方、アクセスゲートウェイ装置１内の呼量監視部３は、同じ時間帯で同時にオフフックしている電話機の数（呼量：ｎ）を計数し（ステップＳ３）、計数したオフフック数を呼量データとして、ネットワーク１０を経由してサーバー１１に送信する（ステップＳ４）。
【００２４】
サーバー１１の電源異常検出部１２は、アクセスゲートウェイ装置１の定常電流と、１加入者の電話機をオフフックした時の直流供給電流と、直流電源９の電源電圧とを予め知っているので、サーバー１１がネットワーク１０を介して受信した呼量監視部３からのオフフック数（呼量）ｎを用いて、次式に基づいて正常時のアクセスゲートウェイ装置１の電力量（Ｐｃ）を算出する（ステップＳ５）。
【００２５】
Ｐｃ＝（（定常電流）＋（直流供給電流）×ｎ）×電源電圧×時間    （１）
ただし、（１）式中、「時間」は平均保留時間（加入者の平均通話時間）である。
【００２６】
続いて、サーバー１１の電源異常検出部１２は、サーバー１１がネットワーク１０を介して受信した電力量計８からの電力量Ｐｍと、（１）式により算出した電力量Ｐｃとを用いて、次式の不等式を満足するかどうか比較判定を行う（ステップＳ６）。
【００２７】
Ｐｍ＞Ｐｃ＋α      （２ａ）
Ｐｍ＜Ｐｃ−α      （２ｂ）
ただし、（２ａ）式、（２ｂ）式中、αはマージンを示す。このマージンαは、アクセスゲートウェイ装置１の定常電流、直流供給電流、電源電圧等がバラツクので、このバラツキ分を考慮に入れた定数である。また、Ｐｍの電力量の測定時間は（１）式の「時間」と同じ値である。
【００２８】
アクセスゲートウェイ装置１に電源異常がなければ、電力量計８によりＰｃと同じ時間で測定した実際の電力量Ｐｍと、電話機のオフフック数（呼量）ｎに基づいて算出した正常時の理論値である電力量Ｐｃとは本来は等しい。また、バラツキ分を考慮した場合は、アクセスゲートウェイ装置１に電源異常がなければ、電力量計８によりＰｃと同じ時間で測定した実際の電力量Ｐｍは、Ｐｃ±αの範囲内の値を示す。
【００２９】
一方、アクセスゲートウェイ装置１に電源ヒューズが溶断しない程度の電源異常が発生した場合は、電力量計８により測定した実際の電力量Ｐｍは、電話機のオフフック数（呼量）ｎに基づいて算出した理論値である電力量Ｐｃにマージンαを加算した値（Ｐｃ＋α）よりも大きな値となるか、又は、上記電力量Ｐｃにマージンαを減算した値（Ｐｃ−α）よりも小さな値となる。
【００３０】
そこで、サーバー１１の電源異常検出部１２は、（２ａ）式又は（２ｂ）式の不等式を満足すると判定した場合は、アクセスゲートウェイ装置１の直流電源９が異常と判定する（ステップＳ７）。この場合は、サーバー１１は例えばアラームを発生して、電源異常の発生を報知する。一方、サーバー１１の電源異常検出部１２は、（２ａ）式と（２ｂ）式の両方の不等式をいずれも満足しないと判定した場合、すなわち、次式の不等式
Ｐｃ−α≦Ｐｍ≦Ｐｃ＋α        （３）
を満足する場合は、アクセスゲートウェイ装置１の直流電源９が正常と判定する（ステップＳ７）。この場合は、サーバー１１は特に何もしない。
【００３１】
このように、本実施形態によれば、電力量計８により測定した実際の電力量Ｐｍと、電話機のオフフック数（呼量）ｎに基づいて算出した理論値である電力量Ｐｃにマージンαを加味した値とを比較し、その比較結果に基づいてアクセスゲートウェイ装置１の直流電源９に異常電流が流れるか否かの電源異常判定を行うようにしたため、電源ヒューズが溶断しない装置故障でも電源異常検出ができる。
【図面の簡単な説明】
【００３２】
【図１】本発明の一実施形態の構成図である。
【図２】図１の動作説明用フローチャートである。
【符号の説明】
【００３３】
１  アクセスゲートウェイ装置
２1〜２N  給電回路
３  呼量監視部
４1〜４M+1  ヒューズ
５、６  加入者線
７1〜７N  電話機
８  電力量計
９  直流電源
１０  ネットワーク
１１  サーバー
１２  電源異常検出部
【図１】
2010074459.tif 000003
【図２】
2010074459.tif 000004